(57)【要約】【課題】 既存の通信方法を変更することなく、簡単な操作でデータを送信することができる通信システムを提供する。【解決手段】  操作カードには操作情報を示す２次元コード４１及び当該操作情報の内容を示す文字情報４２が印刷されている。この２次元コード４１は通信端末１の動作を指示するためのもので、例えば操作カードとしてのアドレスカード３７を通信端末１に読込ませると、送信先のアドレス情報を設定することができる。これにより、操作の不慣れな者であっても、送信先の電話番号及びＦＡＸ番号並びにメール番号を容易に設定することができる。【選択図】  図２
2005033704.tif 000002
【特許請求の範囲】
【請求項１】
複数の操作カードと、当該操作カードに記録された操作情報に基づいて動作する通信端末とからなる通信システムであって、
前記操作カードは、前記通信端末に所定の動作を実行させるための操作情報を光学的に記憶した２次元コードが記録され、
前記通信端末は、
前記操作カードに記憶された２次元コードを光学的に読取る光学読取部と、
この光学読取部が読取った２次元コードが示す操作情報を解読する解読部と、
この解読部が解読した操作情報に基づいて通信に関する動作を制御する制御部とを備えていることを特徴とする通信システム。
【請求項２】
前記操作カードは、送信の宛先を設定するアドレスカード及び送信したい内容を入力するメッセージカードを含んでいることを特徴とする請求項１記載の通信システム。
【請求項３】
前記操作カードは、前記通信端末を初期設定する初期設定カード及び前記通信端末の操作条件や操作方法を設定する機能設定カードを含んでいることを特徴とする請求項１記載の通信システム。
【請求項４】
前記２次元コードは、操作情報を分割した分割操作情報を記録した複数の分割２次元コードから構成され、
前記解読部は、前記操作カードから前記分割２次元コードが示す分割操作情報を複数読込んだときは、当該分割操作情報から操作情報を復元することを特徴とする請求項１ないし３の何れかに記載の通信システム。
【請求項５】
前記操作カードには、前記２次元コードとして記録された操作情報の内容を示す文字情報が記録されていることを特徴とする請求項１ないし４の何れかに記載の通信システム。
【請求項６】
前記操作カードは、２次元コードの記録領域以外に画像が記録された添付カードを含み、
前記通信端末の制御部は、前記光学読取部が前記添付カードから読取った画像情報を送信内容として設定すると共に、前記操作設定カードから読取った送信方法としてＦＡＸが設定されていた場合は画像情報をＦＡＸ画像として設定し、送信方法が電子メールに設定されていた場合は添付ファイルとして設定することを特徴とする請求項１ないし５の何れかに記載の通信システム。
【請求項７】
前記通信端末は、前記操作カードを読取るための搬送部を備え、
前記光学読取部は、前記搬送部が搬送する前記操作カードを読取る１次元画像センサを備え、
前記通信端末の制御部は、前記操作カードを前記搬送部により搬送しながら前記１次元画像センサにより前記２次元コードを読取ることを特徴とする請求項１ないし６の何れかに記載の通信システム。
【請求項８】
前記操作カードは、搬送方向の端部から所定距離が２次元コードの記録領域に設定され、
前記搬送部は、操作カードを所定距離搬送したことを検出する中間点検出センサを備え、
前記通信端末の制御部は、前記２次元コードを読取る場合は、前記操作カードを前記中間点検出センサが検出状態となるまで前記搬送部により搬送することを特徴とする請求項７記載の通信システム。
【請求項９】
前記搬送部は、前記操作カードを限界点まで搬送したことを検出する限界検出センサを備え、
前記通信端末の制御部は、前記操作カードが添付カードである場合は、前記限界検出センサが検出状態となるまで前記搬送部により前記操作カードを搬送しながら前記１次元画像センサにより前記２次元コードを読取ることを特徴とする請求項７または８記載の通信システム。
【請求項１０】
前記通信端末は表示部を備え、
前記通信端末の制御部は、次の操作を促す操作情報を前記表示部に表示することを特徴とする請求項１ないし９の何れかに記載の通信システム。
【請求項１１】
前記操作カードは、大部分が余白な印刷用カードを含み、
前記通信端末は、挿入された前記印刷用カードに印刷する印刷部を備え、
前記通信端末の制御部は、受信画像を、挿入された前記印刷用カードに前記印刷部で印刷することにより新たな操作カードを作成することを特徴とする請求項１ないし１０の何れかに記載の通信システム。
【請求項１２】
前記操作カードは、大部分が余白な印刷用カードを含み、
前記通信端末は、
前記印刷用カードに印刷する印刷部と、
情報表示及び情報入力可能なタッチパネルとを備え、
前記通信端末の制御部は、前記タッチパネルから入力した情報に基づいて文字及び２次元コードを生成し、挿入された前記印刷用カードに前記印刷部で印刷することにより新たな操作カードを作成することを特徴とする請求項１ないし１０の何れかに記載の通信システム。
【発明の詳細な説明】
【技術分野】
【０００１】
本発明は、複数の操作カードと、当該操作カードに記録された操作情報に基づいて動作する通信端末とからなる通信システムに関する。
【背景技術】
【０００２】
近年、情報通信機器の機能が向上し、それに伴って操作が複雑になってきており、これらの情報通信機器の扱いに習熟している人たちと年配者或いは未熟者との情報交換が難しくなってきている。
そこで、情報通信機器の操作を簡単にし、情報交換における壁をなくしたいという要望から、特開２０００−３５０６９３号公報のものでは、電子メールとＦＡＸとの間で変換を行う変換用コンピュータを設置し、電子メールをＦＡＸに変換して電話回線で相手先に送信したり、相手先が返信したＦＡＸを電子メールに変換したりするようになっている。従って、利用者は、ＦＡＸを用いた簡単な操作で電子メールの送受信を行うことができる。
【特許文献１】特開２０００−３５０６９３号公報
【発明の開示】
【発明が解決しようとする課題】
【０００３】
しかしながら、電子メールとＦＡＸとを変換するための変換用コンピュータを設置しなければ使えないことから、新たなインフラを整備しなければならず、コストが高くなる。また、データ量の少ない電子メールをデータ量の多いＦＡＸに変換して送受信するのは、通信回線を無駄に使用する欠点がある。
本発明は上記事情に鑑みてなされたものであり、その目的は、既存の通信方法を変更することなく、簡単な操作でデータを送信することができる通信システムを提供することにある。
【課題を解決するための手段】
【０００４】
請求項１の発明によれば、通信端末の光学読取部が操作カードに記録されている２次元コードを読取ると、解読部は、その２次元コードが示す操作情報を解読する。そして、制御部は、解読部が解読した操作情報に基づいて通信に関する動作を制御する。これにより、通信端末に操作カードを読取らせるだけで、通信端末に関する動作を制御することができるので、通信端末を直接的に操作するのに比較して、使用者が年配者或いは未熟者であっても、通信端末を容易に操作することができる。
【０００５】
請求項２及び３の発明によれば、通信端末に読取らせる操作カードの種別を変更することにより、通信端末に対して種々の操作を行うことができる。
請求項４の発明によれば、複数の分割２次元コードから読取った分割操作情報から操作情報を復元するようにしたので、一つ当りの２次元コードの領域を小さく設定することができ、一つの２次元コードに全ての操作情報を記録する場合に比較して、２次元コード全体の領域を抑制することができる。
【０００６】
請求項５の発明によれば、操作カードに記録されている文字情報により操作カードに記録されている２次元コードが示す操作情報を確認することができるので、使い勝手に優れている。
請求項６の発明によれば、画像が記憶された添付カードを通信端末の光学読取部が読取ると、通信端末の制御部は、読取った画像情報を送信内容として設定する。ここで、操作設定カードから読取った送信方法としてＦＡＸが設定されていた場合は、画像情報をＦＡＸ画像として設定する。また、電子メールが設定されていた場合は、添付ファイルとして設定する。従って、使用者が年配者或いは未熟者であっても、画像情報をＦＡＸ或いは電子メールで容易に送信することができる。
【０００７】
請求項７の発明によれば、搬送部により操作カードを搬送しながら１次元画像センサにより２次元コードを読取ることにより、２次元コードを効率よく読込むことができる。
請求項８の発明によれば、操作カードに記憶されている２次元コードには、搬送部による搬送方向の端部から所定距離が２次元コードの記録領域に設定されているので、中間センサが検出状態となるまで搬送部により操作カードを搬送しながら１次元画像センサにより２次元コードを読取ることにより、２次元コード以外の情報を無駄に読込んでしまうことを防止できる。
【０００８】
請求項９の発明によれば、添付カードには、２次元コードの記録領域以外に画像が記録されているので、搬送部により操作カードを限界点まで搬送することにより、１次元画像センサにより画像情報カードに記録されている画像を確実に読取ることができる。
請求項１０の発明によれば、通信端末に操作カードを読取らせると、次の操作を促す操作情報が表示部に表示されるので、操作に慣れていない使用者であっても、確実に次の操作を行うことができる。
【０００９】
請求項１１の発明によれば、画像を受信した場合は、その受信画像を、挿入された印刷用カードに印刷部で印刷することにより新たな操作カードを作成することができるので、使用者が操作カードを作成することができない場合であっても、新たな操作カードを容易に入手することができる。
請求項１２の発明によれば、タッチパネルにより情報を入力すると、文字及び２次元コードが生成されて印刷用カードに印刷されるので、操作に慣れた使用者は、自分で操作カードを作成することができ、使用勝手に優れている。
【発明を実施するための最良の形態】
【００１０】
（第１の実施の形態）
以下、本発明の第１の実施の形態を図１ないし図６に基づいて説明する。
図２は、通信端末を示す斜視図である。この図２において、通信端末１には液晶表示部２及び操作キー３が設けられている。液晶表示部２はタッチパネル４（図１参照）を有しており、通信端末１に取外し可能に装着されているスタイラスペン５によるタッチ操作により情報を入力可能となっている。操作キー３としては、メニュー画面を表示するための表示切替ボタン６、表示されたメニュー画面からメニューを選択するための矢印キー７、「選択」ボタン８、「受信」ボタン９、「送信」ボタン１０、「印刷」ボタン１１、「取消」ボタン１２が設けられている。
【００１１】
通信端末１の端面にはカード挿入孔１３が設けられており、そのカード挿入孔１３に所望の操作カードを挿入するようになっている。この操作カードは、キー操作することなく通信端末１に対して各種の操作情報を与えるためのもので、当該操作カードに記録されている操作情報に基づいて通信端末１が通信に関する動作を実行するようになっており、このような構成が本システムの特徴部分である。
【００１２】
通信端末１には電源が接続されていると共に、電話機及び電話回線が接続されており、電話機と電話回線との間に介在するように接続されている。ここで、通信端末１は、通常においては電話機と電話回線とを接続すると共に、必要に応じて自己と電話回線とを接続するようになっている。
通信端末１には操作カードを読取るためのカード読取装置が内蔵されている。図３は、カード読取装置の構成を概略的に示す斜視図である。この図３において、カード読取装置１４は、搬送部１５、光学読取部１６、印刷部１７から構成されている。搬送部１５は、駆動モータ１８、この駆動モータ１８の回転に応じて回動するカード駆動ローラ１９、駆動モータ１８の回転に応じてパルスを発生するパルス発生器２０（図１参照）、挿入カードの進行方向に沿って順に配置される挿入検出センサ２１、中間点検出センサ２２、限界検出センサ２３から構成されており、搬送部１５により操作カードが通信端末内に搬送されると共に、その搬送に伴って各検出センサ２１〜２３が順にオンするようになっている。この場合、中間点検出センサ２２は、操作カードが２次元コードの記録領域に対応した所定距離搬送されたときにオンし、限界検出センサ２３は、操作カードが大部分搬送されたときにオンする。
【００１３】
光学読取部１６は、照明光源２４（図１参照）、ミラー２５、結像レンズ２６、１次元画像センサ２７から構成されており、挿入された操作カードの表面が１次元画像センサ２７に結像する。そして、印刷部１７は、操作カードの幅に対応した印刷ヘッド２８からなる。
図１は、通信端末１の電気的構成を概略的に示している。この図１において、制御部２９は、カード読取装置１４からの信号に基づいて当該カード読取装置１４を構成する各回路の動作を制御することにより後述するように操作カードから操作情報を読取り、読取った操作情報に基づいて動作するようになっている。この場合、制御部２９は、操作カードから読取った操作情報をＲＡＭ３０或いはＦ−ＲＯＭ３１に記憶すると共に液晶表示部２に表示したり、操作キー３からの指令に応じて電話回線制御インタフェース３２を制御したりする。電源部３３は、電源からの電圧を所定電圧に変換した状態で各回路に給電する。
【００１４】
通信端末１に読込まれる操作カードとしては、図４に示すように初期設定カード３４、機能設定カード３５、操作設定カード３６、アドレスカード３７、メッセージカード３８、添付カード３９、印刷用カード４０が用意されている。
（１）初期設定カード３４……装置の使用開始時に設定するカード
（２）機能設定カード３５……使い易いように操作条件や方法を設定するカード
（３）操作設定カード３６……送信や受信を行うために端末を操作する指示を与えるカード
（４）アドレスカード３７……宛先を設定するカード
（５）メッセージカード３８……送信したい内容を（メッセージ：定型文）を入力するカードで、ＦＡＸ送信の場合、メッセージカードは用意されていない。
（６）添付カード３９……送信したい画像を入力するカード
（７）印刷用カード４０……印刷するためのカード
【００１５】
これらの操作カードにより設定可能な内容は以下の通りである。
（１）初期設定カード３４……初期設定内容として、自局接続ＩＤ／パスワード／自局メールアドレス／自局ＦＡＸ番号などで、主にメール送信に必要な事項である。
（２）機能設定カード３５……機能設定として、同報送信の有無・方法／再ダイヤル方法／自動受信の有無／受信通知方法などである。
（３）操作設定カード３６……操作設定として、メール・ＦＡＸ／宛先・ＣＣ（Carbon  Copy）／新規・返信／引用有無（送信文章を返信文章に含めるか否か）などである。
これらの操作カード３４〜３９には、２次元コード領域と文字領域が設定されており、２次元コード領域には上述した操作情報を設定する２次元コード４１が印刷され、文字領域には２次元コードとして記録された操作情報の内容を示す文字情報４２が印刷されている。また、２次元コード領域と文字領域との間には、カードの種別を示す種別情報４３が印刷されている。
【００１６】
ところで、操作情報が大きい場合は、２次元コード４１は、操作情報を分割した分割操作情報を示す複数の分割２次元コード４１ａから構成されている。これは、１個の２次元コード４１で全ての操作情報を示そうとすると、２次元コード４１は正方形であり、操作情報が大きくなる程縦寸法（通信端末１への挿入方向の寸法）が大きくなって操作情報の内容を示す文字領域が小さくなることから、操作情報を分割した分割操作情報を示す分割２次元コード４１ａを印刷し、それらを横方向に配置することにより縦方向の寸法を抑制して十分な文字領域を確保するためである。
【００１７】
尚、本実施の形態で採用した２次元コード４１はＱＲコードと呼ばれるものである。
次に上記構成の作用について説明する。
通信端末１には、初期設定カード３４、機能設定カード３５、操作設定カード３６が予め読込まれており、初期設定カード３４により電子メールの送受信で必要となる操作情報が予め設定されていると共に、機能設定カード３５により電子メール及びＦＡＸの送受信の設定が使用者の所望に応じて設定されているものとする。
【００１８】
さて、使用者は、送信相手先に情報を送信したい場合は、操作設定カード３６により送信する際に必要となる設定を行う。つまり、操作カードとして設定されている操作設定カード３６を読込ませることにより、送信が電子メールかＦＡＸか、宛先及びＣＣ、新規若しくは返信、引用有無などを設定する。
＜アドレスカードの読取り＞
使用者が通信端末１を利用して送信相手先に電子メールかＦＡＸを送信したい場合は、操作カードとして用意されているアドレスカード３７の中から、送信相手先のアドレス（電子メールの場合はメールアドレス、ＦＡＸの場合は電話番号）が印刷されたアドレスカード３７を通信端末１に挿入する。この場合、アドレスカード３７の文字領域には、メールアドレス若しくは電話番号が印刷されているので、年配者或いはパソコン及びＦＡＸの操作に慣れていない未熟者であっても、所望のアドレスカードを容易に選択することができる。
【００１９】
通信端末１の制御部２９は、挿入検出センサ２１がオンすることによりカード挿入を検出すると、駆動モータ１８を駆動してカード駆動ローラ１９により操作カードの引込みを開始する。このとき、操作カードの引込みと同時に光学読取部１６の１次元画像センサ２７による画像読取りを開始し、操作カードの種別を判別する。つまり、２次元コードが示す操作情報が、アドレスカード３７か、メッセージカード３８か、添付カード３９かを判断する。この場合、操作カードはアドレスカード３７であるので、中間点検出センサ２２がオンしたところで操作カードの引込みを停止し、２次元コード４１から読出した操作情報を解読する。ここで、２次元コード４１は複数の分割２次元コード４１ａから構成されているので、これらの分割２次元コード４１ａから読出した分割操作情報から操作情報を復元し、その操作情報中の宛先情報に基づいて電子メールかＦＡＸかを判別して送信を設定する。
【００２０】
続いて、送信方法として電子メールが設定されている場合は、操作カードを排出すると同時にメッセージカード３８の挿入を促すメッセージを表示する。従って、使用者は、通信端末１に所望のメッセージが印刷されたメッセージカード３８を挿入する。
＜メッセージカードの読取り＞
制御部２９は、読込んだ操作カードがメッセージカード３８の場合は、中間点検出センサ２２がオンしたところでメッセージカード３８の引込みを停止し、読取った操作情報中のメッセージを送信内容に追加設定する。
【００２１】
続いて、読取った送信宛先にメッセージを送信するかどうか、または、追加カードがあるかどうかの確認を求める表示を行う。ここで、使用者は、追加のメッセージが有る場合は、そのメッセージが印刷されたメッセージカード３８を通信端末１に挿入する。また、メッセージカード３８に印刷されているメッセージを送信する場合は、通信端末１の「送信」ボタン１０を操作する。
【００２２】
通信端末１の制御部２９は、「送信」ボタン１０が操作されたときは、引込んだメッセージカード３８を排出し、次のメッセージカード３８が挿入されたときは、メッセージカード３８を読取り、操作情報中のメッセージを送信内容に追加設定する。
そして、「送信」ボタン１０が操作されたときは、電話回線制御インタフェース３２を制御して自己と電話回線とを接続し、設定されている送信方法で送信内容を送信してから、送信完了を表示し、カードを排出する。つまり、電子メールで送信するように設定されている場合は、契約しているインターネットプロバイダの電話番号にダイアルアップしてから、電子メールの送信プロトコル（ＳＭＴＰ）により送信内容をメール送信する。
【００２３】
＜添付カード３９の読取り＞
一方、送信方法としてＦＡＸが設定されている場合は、添付カード３９の挿入を促すメッセージを表示する。従って、使用者は、例えば集合場所の案内地図を送信したい場合は、図６に示すような添付カード３９を通信端末１に挿入する。また、上述したように電子メールを送信する際に、添付ファイルを送信したい場合も、添付カード３９を通信端末１に挿入する。
【００２４】
通信端末１の制御部２９は、操作カードから読取った操作情報が添付カードであることを示していたときは、限界検出センサ２３がオンするまで操作カードを引込むことにより画像データ（イメージ）を読取る。この場合、送信方法が電子メールに設定されている場合は、読込んだ画像データを添付ファイルとして送信内容に追加する。また、送信方法がＦＡＸに設定されている場合は、画像データをＦＡＸデータとして設定する。
従って、画像データを電子メールの添付ファイルとして容易に相手先に送信することができると共に、画像データをＦＡＸとして相手先に送信することができる。
【００２５】
＜受信画像による操作カードの作成＞
通信端末１の制御部２９は、電話回線からの信号を監視しており、その信号が電子メール送信或いはＦＡＸ送信であった場合は、電話回線制御インタフェース３２を制御することにより電話回線を自己に接続し、電子メール或いはＦＡＸを受信し、受信した受信内容を液晶表示部２に表示する。これにより、ＦＡＸを容易に受信することができる。
【００２６】
また、電子メールを送信した際に、プロバイダのメールサーバに電子メールが記憶されている場合、或いは使用者が「受信」ボタン９を操作した際にメールサーバに電子メールが記憶されているときは、電子メールを受信し、その受信一覧を表示する。
ここで、受信メールが複数表示されているときは、使用者は、所望の電子メールを矢印キー７で選択し、「選択」ボタン８を操作する。すると、通信端末１の制御部２９は、選択した受信内容を画面に表示する。
【００２７】
この受信内容を印刷する場合は、通信端末１に印刷用カード４０を挿入して「印刷」ボタン１１を操作する。すると、通信端末１の制御部２９は、駆動モータ１８を駆動すると同時に印刷ヘッド２８を駆動することにより、受信内容を印刷用カード４０に印刷する。
このように受信内容を印刷できる結果、例えば遠隔地からの送信により新たな操作カードを作成することができるので、使用者が息子と別居している年配者で、新たな操作カードが必要になった場合は、遠方に住んでいる息子に頼むことにより、新たな操作カードを容易に作成することができる。
【００２８】
＜タッチパネルによるカード作成＞
使用者が自分でメッセージカードを作成する場合は、通信端末１の表示切替ボタン６を操作して操作メニューを表示し、その操作メニューの一つであるメッセージカード作成を矢印キー７で選択した状態で「選択」ボタン８を操作する。すると、通信端末１の制御部２９は、液晶表示部２に文字入力画面を表示する。
【００２９】
図５は、液晶表示部２に表示された入力画面を示している。この図５において、入力画面には、表示部４４、「カードイメージ表示」ボタン４５、「データを保存」ボタン４６、「ＡＢＣ」（アルファベット）ボタン４７、「カナ」ボタン４８、「漢字」ボタン４９、「変換」ボタン５０、「決定」ボタン５１、「取消」ボタン５２、「改行」ボタン５３、タブレット５４が表示されている。タブレット５４の表示内容は、「ＡＢＣ」ボタン４７、「カナ」ボタン４８、「漢字」ボタン４９に対する操作に応じて切換わるようになっている。
【００３０】
さて、使用者は、スタイラスペン５でタブレット５４に表示されている文字を選択することにより所望のメッセージを入力し、入力が終了したときは、確認のために「カードイメージ表示」ボタン４５を操作する。すると、通信端末１の制御部２９は、入力画面に代えてメッセージカードのイメージを表示する。
そして、カードイメージがＯＫであれば、印刷用カード４０を通信端末１に挿入して「印刷」ボタン１１を操作する。これにより、自分で作成したメッセージ及び当該メッセージを示す２次元コードが印刷されたメッセージカードを作成することができる。
【００３１】
尚、メッセージを保存したい場合は、「データを保存」ボタン４６を操作する。
このような実施の形態によれば、通信端末１に２次元コード４１が印刷された所定の操作カード３４〜３９を読込ませることにより、通信端末１を操作した場合と同様な操作指示を与えることができるので、使用者がパソコン或いはＦＡＸの操作に不慣れな年配者或いは未熟者であっても、簡単な操作で電子メール或いはＦＡＸを送信することができる。
【００３２】
しかも、通信端末１自身が電子メール或いはＦＡＸを送信する機能を有しているので、電子メールとＦＡＸとを変換するための変換用コンピュータを設置しなければならない従来例のものと違って、既存のインフラを変更することなく実施することができる。
また、操作カード３４〜３９に２次元コード４１が示す内容を文字情報４２として印刷するようにしたので、操作カードの記録内容が直接的に把握でき、使用勝手に優れている。
また、操作カード３４〜３９に応じて通信端末１への引込み量を調整するようにしたので、無駄な引込みがなくなり、読取り時間の短縮を図ることができる。
【００３３】
（第２の実施の形態）
次に、本発明の第３の実施の形態について図７を参照して説明するに、第１の実施の形態と同一部分には同一符号を付して説明を省略する。この第２の実施の形態は、通信端末１が受信したメール或いはＦＡＸに対する処理を操作カードで行うことを特徴とする。
この実施の形態では、操作カードとして、第１の実施の形態で説明した操作カードに加えて受信操作カード５５が用意されている。この受信操作カード５５は、受信したメール或いはＦＡＸに対する操作を設定するものである。
通信端末１を示す図７において、メール或いはＦＡＸの受信状態では、通信端末１の表示部２には、メールの受信件数及びＦＡＸの受信件数が表示されている。
【００３４】
さて、受信したメールやＦＡＸの受信件名の一覧を表示するには、受信操作カード５５のうちから一覧を表示させるための受信操作カード５５を通信端末１に読み込ませる。
すると、通信端末１の表示部２には、受信件名の一覧が表示されるので、矢印キー７により所望の受信件名を選択し、「選択」ボタン８を操作して選択する。
そして、選択した受信件名の内容を表示したり、印刷したりしたい場合は、そのことを指示するための受信操作カード５５を通信端末１に読取らせる。すると、通信端末１は、選択された受信件名の受信内容を受信操作カード５５による指示に従って、表示したり、印刷したりする。
【００３５】
尚、受信件名を削除したい場合は、削除したい受信件名を選択した状態で、消去するための受信操作カード５５を通信端末１に読み込ませる。
このような実施の形態によれば、受信したメール或いはＦＡＸに対する操作を受信操作カード５５を用いて行うことができるので、送信に加えて受信の際の通信端末１に対する操作を容易に行うことができる。
【００３６】
（第３の実施の形態）
次に、本発明の第３の実施の形態について図８及び図９を参照して説明するに、第１の実施の形態と同一部分には同一符号を付して説明を省略し、異なる部分についてのみ説明する。この第３の実施の形態は、通信端末に無線機能を持たせることにより無線通信端末として構成し、携帯可能としたことである。
【００３７】
図８は、無線通信端末６１を示している。この図８において、無線通信端末６１は、本体６２と分離可能であると共に、コネクタ６３により本体６２に接続可能となっている。この無線通信端末６１にはアンテナ６４が設けられている。
図９は、無線通信端末６１の電気的構成を示している。この図９において、無線通信端末６１には電池６５が内蔵されており、電源制御部６６を介して内部回路に給電すると共に、無線通信端末６１が本体６２に接続された状態では、本体６２の電源部３３からの給電により充電される。アンテナ６４は、無線通信部６７により携帯電話基地局とデータ通信が可能となっている。
【００３８】
無線通信端末６１の制御部２９は、無線通信端末６１が本体６２から取外されたことを検出したときは、無線通信部６７により携帯基地局に電話してプロバイダと接続した状態で電子メールの送受信を実行する。
このような実施の形態によれば、無線通信端末６１を携帯電話機と同様に携帯することができるので、自宅から離れた場所であっても、操作カード３４〜３９を用いた電子メールの送受信が可能となり、使い勝手に優れている。
【００３９】
（本発明のその他の実施の形態）
本発明は、上記各実施の形態に限定されることなく、次のように変形または拡張できる。
２次元コードの操作情報を操作カードの裏面に印刷するようにしてもよい。
２次元コードは１個でもよいし、３個以上記録するようにしてもよい。
２次元コードとしては、ベリコード或いはマキシコードを用いるようにしてもよい。
通信端末に携帯電話機を接続可能に設け、携帯電話機を介してデータを送受信するようにしてもよい。
【図面の簡単な説明】
【００４０】
【図１】本発明の第１の実施の形態における全体の電気的構成を示す概略図
【図２】全体の斜視図
【図３】光学読取部を概略的に示す斜視図
【図４】操作カードを示す図
【図５】入力画面を示す図
【図６】添付カードを示す図
【図７】本発明の第２の実施の形態を示す図２相当図
【図８】本発明の第３の実施の形態を示す図２相当図
【図９】図１相当図
【符号の説明】
【００４１】
１は通信端末、２は液晶表示部、４はタッチパネル、１５は搬送部、１６は光学読取部、１７は印刷部、２２は中間点検出センサ、２３は限界検出センサ、２７は１次元画像センサ、２９は制御部（解読部）、３４は初期設定カード（操作カード）、３５は機能設定カード（操作カード）、３６は操作設定カード（操作カード）、３７はアドレスカード（操作カード）、３８はメッセージカード（操作カード）、３９は添付カード（操作カード）、４０は印刷用カード（操作カード）、４１は２次元コード、４１ａは分割２次元コード、４２は文字情報である。
【図１】
2005033704.tif 000003
【図２】
2005033704.tif 000004
【図３】
2005033704.tif 000005
【図４】
2005033704.tif 000006
【図５】
2005033704.tif 000007
【図６】
2005033704.tif 000008
【図７】
2005033704.tif 000009
【図８】
2005033704.tif 000010
【図９】
2005033704.tif 000011